(57)【要約】【課題】ユーザがキー変更などによって自分の声の音域に合わせることができる楽曲を容易に選択することができる楽曲選択システム、サーバ装置、および携帯端末装置を提供する。【解決手段】携帯端末装置からユーザが発声可能な音域を表わす音域情報が送信されると、サーバ装置では、音域情報が表わす音域に応じた音域幅以下の音域幅を有する楽曲が選択され、選択された楽曲の一覧が携帯端末装置に向けて送信される。選択された楽曲は、音の高低差がユーザの声の高低差より小さいため、これらの楽曲の一覧が携帯端末装置に表示されることによって、キー変更などによって自分の声の音域に合わせることが可能な楽曲を容易に選択することができる。【選択図】        図５
2010032788.tif 000002
【特許請求の範囲】
【請求項１】
ユーザが発声可能な音域を取得する音域取得部と、
前記音域取得部で取得した音域を表わす音域情報を送信する端末側送信部とを有する携帯端末装置と、
複数の楽曲を保存する楽曲保存部と、
前記携帯端末装置から送信されてきた音域情報を受信するサーバ側受信部と、
前記楽曲保存部に保存された複数の楽曲のうちの、前記サーバ側受信部で受信された音域情報により表わされる音域に応じた音域幅以下の音域幅を有する楽曲を選択する楽曲選択部と、
前記楽曲選択部で選択された楽曲の一覧を表わす楽曲一覧情報を、前記携帯端末装置に向けて送信するサーバ側送信部とを有するサーバ装置とを備え、
前記携帯端末装置が、さらに、
前記サーバ装置から送信されてきた楽曲一覧情報を受信する端末側受信部と、
前記端末側受信部で受信した楽曲一覧情報が表わす楽曲一覧を表示する楽曲一覧表示部とを有することを特徴とする楽曲選択システム。
【請求項２】
前記携帯端末装置は、さらに、
楽曲を選定するための条件である楽曲選定条件の指定を受ける楽曲選定条件指定部を備え、
前記端末側送信部は、前記音域情報取得部で取得した音域を表わす音域情報を送信するとともに、前記楽曲選定条件指定部で指定を受けた楽曲選定条件を表わす楽曲選定情報を送信するものであり、
前記サーバ側受信部は、前記携帯端末装置から送信されてきた音域情報を受信するとともに、さらに、該携帯端末装置から送信されてきた楽曲選定情報を受信するものであり、
前記楽曲選択部は、前記楽曲保存部に保存された複数の楽曲のうちの前記サーバ側受信部で受信された音域情報により表わされる音域に応じた音域幅以下の音域幅を有し、かつ前記サーバ側受信部で受信された楽曲選定条件情報により表わされる楽曲選定条件に合致した楽曲を選択するものであることを特徴とする請求項１記載の楽曲選択システム。
【請求項３】
前記携帯端末装置が、さらに、
前記端末側受信部で受信した楽曲一覧情報が表わす楽曲一覧中の楽曲のダウンロードを指示するダウンロード指示部を備え、
前記端末側送信部が、前記ダウンロード指示部でダウンロードが指示されたことを受けて、ダウンロードが指示された楽曲を表わす楽曲情報を伴うダウンロード要求情報を送信するものであり、
前記サーバ側受信部は、前記携帯端末装置から送信されたダウンロード要求情報を受信するものであり、
前記サーバ側送信部は、前記サーバ側受信部でのダウンロード要求情報の受信を受けて該ダウンロード要求情報に応じた楽曲を前記携帯端末装置に向けて送信するものであることを特徴とする請求項１または２記載の楽曲選択システム。
【請求項４】
携帯端末装置から送信されてきた、ユーザが発声可能な音域を表わす音域情報を受信するサーバ側受信部と、
前記楽曲保存部に保存された複数の楽曲のうちの、前記サーバ側受信部で受信された音域情報により表わされる音域に応じた音域幅以下の音域幅を有する楽曲を選択する楽曲選択部と、
前記楽曲選択部で選択された楽曲の一覧を表わす楽曲一覧情報を、前記携帯端末装置に向けて送信するサーバ側送信部とを有することを特徴とするサーバ装置。
【請求項５】
ユーザが発声可能な音域を取得する音域取得部と、
前記音域取得部で取得した音域を表わす音域情報を楽曲の配信を担うサーバ装置に向けて送信する端末側送信部と、
前記サーバ装置から送信されてきた、前記音域情報により表わされる音域に応じた音域幅以下の音域幅を有する楽曲の一覧を表わす楽曲一覧情報を受信する端末側受信部と、
前記端末側受信部で受信した楽曲一覧情報が表わす楽曲一覧を表示する楽曲一覧表示部とを有することを特徴とする携帯端末装置。
【発明の詳細な説明】
【技術分野】
【０００１】
本発明は、複数の楽曲からユーザが発声可能な音域に合った楽曲を選択する楽曲選択システム、複数の楽曲を保存するサーバ装置、および楽曲の一覧を表示する携帯端末装置に関する。
【背景技術】
【０００２】
従来から、カラオケは幅広い年代に共通の娯楽として親しまれている。カラオケ機器には、楽曲のキーや演奏スピードを変更する機能が搭載されていることが一般的であり、ユーザが幅広い種類の楽曲を楽しめるような工夫がなされている。
【０００３】
また、近年、携帯電話機には、標準的な通話機能や電子メールの送受信機能などに加えて、被写体を撮影するためのカメラ機能、ウェブサイトを閲覧するためのブラウザ機能、テレビ番組を視聴するためのテレビ機能、音楽や映像などをダウンロードして録音／録画し、好きなときにそれらを再生するためのダウンロード機能などが搭載されてきている。それらの機能の中でも、音楽をダウンロードして携帯電話機で視聴する機能は、若いユーザの間で特に人気が高く、カラオケに行く前に、流行の楽曲を携帯電話機にダウンロードして歌詞や音程を覚えておくというユーザも多い。
【０００４】
しかし、歌詞や音程を覚えていても、実際にカラオケ機器で楽曲を演奏して歌ってみると、楽曲の音域が自分の声に合っておらず、楽曲のキーを変更してもうまく歌えないことがある。
【０００５】
このような点に関し、実際に発声して自分の声を入力すると、その声に合った楽曲を自動的に選択するカラオケ機器が考案されてきている。例えば、特許文献１には、ユーザの声の音域に適合した楽曲を選択して一覧表示するカラオケ機器について記載されており、特許文献２には、ユーザの声の周波数成分と似た周波数成分の声を発する歌手の楽曲を一覧表示するカラオケ機器について記載されている。これらのカラオケ機器に一覧表示された楽曲の中から所望の楽曲を選ぶことによって、ユーザは自分の声に合った楽曲を容易に選択して歌うことができる。
【特許文献１】特開平９−２１２１８５号公報
【特許文献２】特開２００５−１１５１６４号公報
【発明の開示】
【発明が解決しようとする課題】
【０００６】
しかし、ユーザの声の音域や周波数成分に基づいて楽曲を選択すると、キー変更を行えば歌える楽曲などが外されてしまうため、選曲される楽曲が限られてしまう。また、カラオケ機器に楽曲の一覧が表示される方法では、実際にカラオケ店に行って自分の声を入力しなければならないため、時間と手間がかかってしまうという問題もある。通常、楽曲を携帯電話機にダウンロードするのには料金がかかるのが一般的であり、カラオケ店などに出向かずに、自分が歌える楽曲のみを選んでダウンロードすることができるシステムの開発が望まれている。
【０００７】
上記問題に鑑み、本件開示の楽曲選択システム、サーバ装置、および携帯端末装置の課題は、ユーザがキー変更などによって自分の声の音域に合わせることができる楽曲を容易に選択することにある。
【課題を解決するための手段】
【０００８】
本件開示の楽曲選択システムの第１の基本形態は、
ユーザが発声可能な音域を取得する音域取得部と、
音域取得部で取得した音域を表わす音域情報を送信する端末側送信部とを有する携帯端末装置と、
複数の楽曲を保存する楽曲保存部と、
携帯端末装置から送信されてきた音域情報を受信するサーバ側受信部と、
楽曲保存部に保存された複数の楽曲のうちの、サーバ側受信部で受信された音域情報により表わされる音域に応じた音域幅以下の音域幅を有する楽曲を選択する楽曲選択部と、
楽曲選択部で選択された楽曲の一覧を表わす楽曲一覧情報を、携帯端末装置に向けて送信するサーバ側送信部とを有するサーバ装置とを備え、
上記携帯端末装置が、さらに、
サーバ装置から送信されてきた楽曲一覧情報を受信する端末側受信部と、
端末側受信部で受信した楽曲一覧情報が表わす楽曲一覧を表示する楽曲一覧表示部とを有する。
【０００９】
この楽曲選択システムの第１の基本形態によると、携帯端末装置からサーバ装置に向けてユーザが発声可能な音域を表わす音域情報が送信されると、サーバ装置では、受信された音域情報が表わす音域に応じた音域幅以下の音域幅を有する楽曲が選択され、選択された楽曲の一覧を表わす楽曲一覧情報が携帯端末装置に向けて送信される。サーバ装置で選択された楽曲は、音程の高低差（すなわち、楽曲の音域幅）がユーザが発声可能な音程の高低差（すなわち、ユーザの音域幅）より小さいため、これらの楽曲の一覧が携帯端末装置に表示されることによって、ユーザはキー変更などによって自分の声の音域に合わせることが可能な楽曲を容易に選択することができる。
【００１０】
また、本件開示の楽曲選択システムの第２の基本形態は、
ユーザが発声可能な音域を取得する音域取得部と、
楽曲の指定を受け付ける楽曲受付部と、
音域取得部で取得した音域を表わす音域情報と前記楽曲受付部で受け付けた楽曲を表わす楽曲情報を送信する端末側送信部とを有する携帯端末装置、および
複数の楽曲を保存する楽曲保存部と、
携帯端末装置から送信されてきた音域情報と楽曲情報を受信するサーバ側受信部と、
サーバ側受信部で受信した音域情報により表わされる音域幅とサーバ側受信部で受信した楽曲情報により表わされる楽曲の音域幅とを比較する音域幅比較部と、
音域幅比較部における音域幅比較結果を表わす音域幅比較情報を携帯端末装置に向けて送信するサーバ側送信部とを有するサーバ装置を備え、
携帯端末装置が、さらに、
サーバ装置から送信されてきた音域幅比較情報を受信する端末側受信部と、
端末側受信部で受信した音域幅比較情報により表わされる音域幅比較結果を表示する音域幅比較結果表示部とを有することを特徴とする。
【００１１】
この楽曲選択システムの第２の基本形態によると、携帯端末装置からサーバ装置に向けて、ユーザが発声可能な音域を表わす音域情報と、楽曲を表わす楽曲情報が送信されると、サーバ装置では、音域情報が表わす音域幅と楽曲情報が表わす楽曲の音域幅とが比較され、比較結果を表わす音域幅比較情報が携帯端末装置に向けて送信される。ユーザは、携帯端末装置に表示された音域幅比較結果を確認することによって、指定した楽曲がキー変更などを行うことによって自分の声の音域に合わせることが可能な楽曲であるか否かを容易に知ることができる。
【００１２】
また、本件開示のサーバ装置の第１の基本形態は、
携帯端末装置から送信されてきた、ユーザが発声可能な音域を表わす音域情報を受信するサーバ側受信部と、
楽曲保存部に保存された複数の楽曲のうちの、サーバ側受信部で受信された音域情報により表わされる音域に応じた音域幅以下の音域幅を有する楽曲を選択する楽曲選択部と、
楽曲選択部で選択された楽曲の一覧を表わす楽曲一覧情報を、携帯端末装置に向けて送信するサーバ側送信部とを有することを特徴とする。
【００１３】
このサーバ装置の第１の基本形態によると、ユーザの携帯端末装置に、キー変更などを行うことによって自分の声の音域に合わせることができる楽曲の一覧が通知されるため、楽曲のダウンロードを促すことができる。
【００１４】
また、本件開示のサーバ装置の第２の基本形態は、
複数の楽曲を保存する楽曲保存部と、
携帯端末装置から送信されてきた音域情報と楽曲情報を受信するサーバ側受信部と、
サーバ側受信部で受信した音域情報により表わされる音域幅とサーバ側受信部で受信した楽曲情報により表わされる楽曲の音域幅とを比較する音域幅比較部と、
音域幅比較部における音域幅比較結果を表わす音域幅比較情報を携帯端末装置に向けて送信するサーバ側送信部とを有することを特徴とする。
【００１５】
このサーバ装置の第１の基本形態によると、携帯端末装置に、指定された楽曲の音域幅と音域情報が表わす音域幅との比較結果が送信されるため、ユーザに、キー変更等によって楽曲の音域を自分の声の音域に合わせることができるか否かを通知することができ、楽曲のダウンロードを促すことができる。
【００１６】
また、本件開示の携帯端末装置の第１の基本形態は、
ユーザが発声可能な音域を取得する音域取得部と、
音域取得部で取得した音域を表わす音域情報を楽曲の配信を担うサーバ装置に向けて送信する端末側送信部と、
サーバ装置から送信されてきた、音域情報により表わされる音域に応じた音域幅以下の音域幅を有する楽曲の一覧を表わす楽曲一覧情報を受信する端末側受信部と、
端末側受信部で受信した楽曲一覧情報が表わす楽曲一覧を表示する楽曲一覧表示部とを有することを特徴とする。
【００１７】
この携帯端末装置の第１の基本形態によると、ユーザは、カラオケ店などに出向くことなく、キー変更などによって自分の声の音域に合わせることができる楽曲の一覧を確認することができる。
【００１８】
また、本件開示の携帯端末装置の第２の基本形態は、
ユーザが発声可能な音域を取得する音域取得部と、
楽曲の指定を受け付ける楽曲受付部と、
前記音域取得部で取得した音域を表わす音域情報と前記楽曲受付部で受け付けた楽曲を表わす楽曲情報を、楽曲の配信を担うサーバ装置に向けて送信する端末側送信部と、
前記サーバ装置から送信されてきた、前記音域情報により表わされる音域幅と前記楽曲情報により表わされる楽曲の音域幅との音域幅比較結果を表わす音域幅比較情報を受信する端末側受信部と、
前記端末側受信部で受信した音域幅比較情報により表わされる音域幅比較結果を表示する音域幅比較結果表示部とを有することを特徴とする携帯端末装置。
【００１９】
この携帯端末装置の第２の基本形態によると、ユーザは、指定した楽曲がキー変更などによって自分の声の音域に合わせることができる楽曲であるか否かを容易に確認することができる。
【発明の効果】
【００２０】
以上説明したように、楽曲選択システム、サーバ装置、および携帯端末装置の基本形態によると、ユーザは、キー変更などによって自分の声の音域に合わせることができる楽曲を容易に選択することができる。
【発明を実施するための最良の形態】
【００２１】
以下、図面を参照して、実施形態を説明する。
【００２２】
図１は、上述した楽曲選択システムの一実施形態である楽曲ダウンロードシステムの概略的な構成図である。
【００２３】
図１に示す楽曲ダウンロードシステムは、複数の楽曲が保存されたサーバ用ＤＢ（データベース）３０と、楽曲を指定することによってサーバ用ＤＢ３０に保存されている楽曲をダウンロードするダウンロード機能を備えた携帯電話機１０と、携帯電話機１０から楽曲の指定を受けて、サーバ用ＤＢ３０に保存されている楽曲を携帯電話機１０に向けて無線送信するサーバ装置２０とで構成されている。携帯電話機１０は、上述した楽曲選択システムの基本形態における携帯端末装置の一例にあたり、サーバ装置２０とサーバ用ＤＢ３０とを合わせたものは、上述した楽曲選択システムの基本形態におけるサーバ装置の一例にあたり、サーバ用ＤＢ３０は、上述した楽曲選択システムの基本形態における楽曲保存部の一例に相当する。
【００２４】
この携帯電話機１０には、さらに、ユーザが発声可能な音域を表わす音域情報を取得する音域取得機能が搭載されており、サーバ装置２０には、携帯電話機１０から音域情報を取得し、サーバ用ＤＢ３０に保存されている複数の楽曲の中から、ユーザがキー変更などによって自分の声の音域に合わせることができる楽曲を選択する楽曲選択機能と、携帯電話機１０から音域情報と楽曲の指定とを受け、ユーザの声の音域幅と楽曲の音域幅とを比較して楽曲の歌いやすさを評価する音域幅比較機能が搭載されている。
【００２５】
以下では、まず、携帯電話機１０の基本的な構成について説明する。
【００２６】
図１に示すように、携帯電話機１０は、互いに開閉する上部筐体１１と下部筐体１２とからなり、上部筐体１１には画像表示のためのＬＣＤ１１１、内部に小型スピーカが配備され耳にあてがわれて音声を聞き取るための送話口１１２が設けられている。
【００２７】
下部筐体１２には、ユーザによって操作され、この携帯電話機１０を使って電話を掛けたり、電子メールを送信したり、各種設定を行ったりするための各種の操作キー１２１、ユーザの声をピックアップするマイクロホンが内蔵されそのマイクロホンに声を導くための受話口１２２、スピーカーが内蔵され耳にあてがわれなくても聞き取れる程度の音声を出力する放音口１２３、記録メディアが装填される装填口１２４が設けられている。
【００２８】
図２は、携帯電話機１０のハードウェア構成図である。
【００２９】
図２には、ＣＰＵ１０１、ＲＡＭ１０２、マイクデバイス１０３、スピーカデバイス１０４、カメラデバイス１０５、近距離無線デバイス１０６、メディアコントローラ１０７、ＲＯＭ１０８、不揮発メモリ１０９、ディスプレイデバイス１１０、キーデバイス１１３、時計１１４、遠距離通信デバイス１１５、およびアンテナ１１６等が示されており、アンテナ１１６を除き、これらの間はバス１００を介して互いに接続されている。
【００３０】
ＣＰＵ１０１は、各種プログラムを実行する機能を有し、この携帯端末１０の全体を制御している。
【００３１】
ＲＯＭ１０８には、ＣＰＵ１０１で実行される各種プログラムなど、書き換えられない情報が記憶されている。
【００３２】
不揮発メモリ１０９には、アドレス帳、受信した電子メール、および無線通信機能を使ってダウンロードした各種プログラムや楽曲など、書き換えられることがありうるとともに、電力の供給が停止されても保持される情報が記録されている。
【００３３】
ＲＡＭ１０２は、電力が供給されている間のみ情報が保持される揮発性メモリである。ＣＰＵ１０１は、ＲＯＭ１０８や不揮発性メモリ１０９に記憶されたプログラムをＲＡＭ１０２上に展開し、ＲＡＭ１０２を作業領域として使いながら実行する。
【００３４】
マイクデバイス１０３は、ユーザの声をピックアップするマイクロホンおよびそのマイクロホンでピックアップされた声を処理する機能ブロックである。
【００３５】
スピーカデバイス１０４は、ユーザに向けて音声を出力するスピーカ、およびそのスピーカを駆動する音声信号を生成する機能ブロックである。
【００３６】
近距離無線デバイス１０６は、近距離にある外部装置に画像や電話番号などを基地局を介さずに送信するためのものであり、例えば、赤外線通信等が採用される。
【００３７】
遠距離通信デバイス１１５は、アンテナ１１６を使った音声データや電子メールの送受信等を担っている。遠距離通信デバイス１１５では、基地局を介してデータの送受信が行われる。
【００３８】
カメラデバイス１０５は、写真撮影による画像データの収集を司るブロックであり、ディスプレイデバイス１１０は、ＬＣＤ１１１（図１参照）への画像表示を司るブロックであり、キーデバイス１１３は、ユーザによる各種操作キー１２１（図１参照）のキー操作を検出するブロックであり、時計１１４は、現在時刻を取得するためのブロックである。      
【００３９】
メディアコントローラ１０７は、図１に示す装填口１２４に装填された記録メディア２００からデータを読み出したり、カメラデバイス１０５で生成された画像データ等を記録メディア２００に書き込むためのものである。
【００４０】
携帯電話機１０は、外観およびハードウェア上は以上のように構成されている。
【００４１】
続いて、楽曲ダウンロードシステムにおける楽曲のダウンロードについて詳しく説明する。
【００４２】
図３は、楽曲ダウンロードシステムの機能ブロック図である。
【００４３】
携帯電話機１０には、ユーザの声の入力を受けて、その声の音域を表わす音域情報を取得する音域取得部４１０と、楽曲名や楽曲の選定条件などを入力する入力部４２０と、サーバ装置２０に向けて音域情報や楽曲の選定条件などを送信する情報送信部４３０と、サーバ装置２０から楽曲の一覧を表わす一覧情報などを受信する情報受信部４４０と、情報受信部４４０で受信した情報を表示する表示部４５０と、サーバ装置２０を介してサーバ用ＤＢ３０に保存されている楽曲をダウンロードするダウンロード部４６０と、図２に示す不揮発性メモリ１０９がその役割を担い、音域取得部４１０で取得された音域情報やダウンロード部４６０によってダウンロードされた楽曲などを保存する携帯用ＤＢ４７０が備えられている。音域取得部４１０は、上述した楽曲選択システムの基本形態における音域取得部の一例にあたり、情報送信部４３０は、上述した楽曲選択システムの基本形態における端末側送信部の一例にあたり、情報受信部４４０は、上述した楽曲選択システムの基本形態における端末側受信部の一例に相当する。また、入力部４２０は、上述した楽曲選択システムの基本形態における楽曲受付部の一例にあたり、表示部４５０は、上述した楽曲選択システムの基本形態における楽曲一覧表示部および音域幅比較結果表示部それぞれの一例に相当する。
【００４４】
サーバ装置２０には、携帯電話機１０から送られてきた音域情報などを受信する情報受信部５１０と、サーバ用ＤＢ３０に保存されている複数の楽曲の中から携帯電話機１０から伝えられた音域情報が表わす音域に応じた音域幅を有する楽曲を選択する楽曲選択部５３０と、携帯電話機１０から伝えられた音域情報が表わす音域幅と指定された楽曲の音域幅とを比較する評価判定部５４０と、楽曲選択部５３０で選択された楽曲の一覧を表わす一覧情報や、評価判定部５４０における比較結果などを携帯電話機１０に向けて送信する情報返信部５２０と、ダウンロードの指示を受けてサーバ用ＤＢ３０に保存されている楽曲を携帯電話機１０に向けて送信する楽曲提供部５５０とが備えられている。情報受信部５１０は、上述した楽曲選択システムの基本形態におけるサーバ側受信部の一例にあたり、楽曲選択部５３０は、上述した楽曲選択システムの基本形態における楽曲選択部の一例に相当する。また、情報返信部５２０は、上述した楽曲選択システムの基本形態におけるサーバ側送信部の一例にあたり、評価判定部５４０は、上述した楽曲選択システムの基本形態における音域幅比較部の一例に相当する。
【００４５】
以下、サーバ用ＤＢ３０に保存された楽曲を携帯電話機１０にダウンロードする一連の処理について説明する。
【００４６】
携帯電話機１０には、音域取得機能を実行するための実行画面が用意されており、ユーザが操作キー１２１を操作してユーザ名を入力すると、図３に示す音域取得部４１０において音域取得機能が実行される。
【００４７】
図４は、ＬＣＤ１１１に表示される音域取得画面の一例を示す図である。
【００４８】
音域取得機能が実行されると、まず、ＬＣＤ１１１上に、「ガイドに従い、音声を入力してください」というメッセージが表示され（図４のステップＳ１１）、スピーカデバイス１０４によって受話口１２２から複数段階の音程の音が順次に発生する。ユーザは、聞こえてくる音の高さに合わせて送話口１１２に向かって発声する。
【００４９】
ユーザが１音発声するごとに、ＬＣＤ１１１上に、「音声記録中」というメッセージが表示され（図４のステップＳ１２）、その音程の音を発生可能であることが記録される。
【００５０】
以下、同様にして、受話口１２２から音が発生し、その音と同じ高さの声を発声する作業が繰り返される。用意されている複数段階の全ての音程における作業が終了するか、ユーザが発声できない音程に達すると、ＬＣＤ１１１上に、「音域データの取得に成功しました」というメッセージが表示され（図４のステップＳ１３）、音域取得部４１０では、ユーザが発声できた音程を含む音域が取得される。取得された音域を表わす音域情報は、入力されたユーザ名と対応付けて携帯用ＤＢ４７０に保存される。
【００５１】
ここで、上述した楽曲選択システムの基本形態に対し、
上記音域取得部は、ユーザが発声可能な音域を複数のユーザについて取得し、取得した音域を表わす音域情報をユーザに対応付けて保存しておくものであり、
端末側送信部は、音域情報の送信にあたり、ユーザを特定するユーザ操作を受けて特定されたユーザの音域情報を送信するものであるという応用形態は好ましい。
【００５２】
この楽曲選択システムの応用形態によると、例えば、家族それぞれの音域情報を１つの携帯電話機に保存しておくことができる。
【００５３】
以上のようにして取得された音域をサーバ装置２０に送信すると、ユーザの声の音域幅以下の音域幅を有する楽曲が自動的に選択される。
【００５４】
図５は、キー変更などによってユーザの声の音域に合わせることが可能な楽曲を選択する楽曲選択機能を利用して、サーバ用ＤＢ３０に保存されている楽曲をダウンロードするときの情報の流れを示す図である。
【００５５】
ユーザが、予め用意されている楽曲選択画面に従って、ユーザ名、希望する楽曲の選定条件を入力すると、入力内容が図３の入力部４２０から情報送信部４３０に伝えられる。本実施形態では、楽曲の選定条件として、女性用、男性用、デュエット用、歌手名、年代などを選択することができる。
【００５６】
情報送信部４３０では、携帯用ＤＢ４７０に保存されている、入力されたユーザ名と対応付けられた音域情報が取得され、その音域情報と、楽曲の選定条件がサーバ装置２０に向けて送信される（図５のステップＳ２１）。
【００５７】
サーバ装置２０では、携帯電話機１０から送信されてきた音域情報および選定条件が送受信部５１０で受信され、楽曲選択部５３０に伝えられる。サーバ用ＤＢ３０には、複数の楽曲３２が保存されているとともに、各楽曲の情報が登録された楽曲テーブル３１も保存されている。楽曲選択部５３０では、楽曲テーブル３１が参照され、複数の楽曲３２のうち、ユーザがキー変更などによって自分の声の音域に合わせることができる楽曲が選択される。
【００５８】
図６は、サーバ用ＤＢ３０に保存された楽曲テーブル３１の一例を示す概念図である。
【００５９】
図６に示すように、楽曲テーブル３１には、複数の楽曲３２それぞれの、楽曲の名称、楽曲の音域、楽曲の音域幅、歌手名、女性用、男性用、デュエット、年代などが登録されている。この図６に示す例では、「楽曲１」という名称の楽曲は、音域が「−２０〜１０」、音域幅が「３０」、歌手名が「歌手１」、ターゲットが「女性用」、年代が「最新」であり、「楽曲２」という名称の楽曲は、音域が「−１０〜１５」、音域幅が「２５」、歌手名が「歌手２」、ターゲットが「男性用」、年代が「１９９０年代」であり、「楽曲３」という名称の楽曲は、音域が「−１０〜１０」、音域幅が「２０」、歌手名が「歌手３」、ターゲットが「女性用」、年代が「１９８０年代」となっている。
【００６０】
楽曲選択部５３０では、図６に示す楽曲テーブル３１が参照され、携帯電話機１０から伝えられた音域情報が表わす音域に応じた音域幅以下の音域幅を有し、選定条件に合致する楽曲が選択される（図５のステップＳ２２，Ｓ２３）。例えば、携帯電話機１０から音域「−１５〜１０」を表わす音域情報と、「１９９０年代」という選定条件とが伝えられた場合、ユーザが発生可能な音域「−１５〜１０」の音域幅はそれらの音程の最高音と最低音との差分「２５」であるため、まずは、図６に示す「楽曲１」「楽曲２」「楽曲３」のうち、ユーザの音域幅「２５」以下の音域幅を有する「楽曲２」「楽曲３」が選択され、選択された「楽曲２」「楽曲３」のうち、選定条件「１９９０年代」に合致した「楽曲２」が最終的な選択曲として決定される。
【００６１】
ここで、上述した楽曲選択システムの基本形態に対し、
上記携帯端末装置は、さらに、
楽曲を選定するための条件である楽曲選定条件の指定を受ける楽曲選定条件指定部を備え、
上記端末側送信部は、音域情報取得部で取得した音域を表わす音域情報を送信するとともに、楽曲選定条件指定部で指定を受けた楽曲選定条件を表わす楽曲選定情報を送信するものであり、
上記サーバ側受信部は、携帯端末装置から送信されてきた音域情報を受信するとともに、さらに、携帯端末装置から送信されてきた楽曲選定情報を受信するものであり、
上記楽曲選択部は、楽曲保存部に保存された複数の楽曲のうちのサーバ側受信部で受信された音域情報により表わされる音域に応じた音域幅以下の音域幅を有し、かつサーバ側受信部で受信された楽曲選定条件情報により表わされる楽曲選定条件に合致した楽曲を選択するものであるという応用形態は好ましい。
【００６２】
楽曲の選定条件が指定されることによって、大量の楽曲の中から、ユーザの好みに合わせた楽曲を効率良く選択することができる。携帯電話機１０の入力部４２０は、上述した楽曲選定条件指定部の一例に相当する。
【００６３】
さらに、楽曲選択部５３０では、決定された選択曲それぞれの音域と、音域情報が表わすユーザの音域とが比較され、ユーザの音域に選択曲の音域を合わせるためのキー変更量が算出される。例えば、ユーザの音域が「−１５〜１０」である場合、選択曲の音域が「−１０〜１５」であればキー変更量は「−５」となり、選択曲の音域が「−１０〜１０」であればキー変更量は「０」となり、選択曲の音域が「−５〜２０」であればキー変更量は「＋１０」となる。
【００６４】
ここで、上述した楽曲選択システムの基本形態に対し、
上記楽曲選択部が、楽曲を選択するとともに、選択した楽曲の音域とサーバ側受信部で受信した音域情報が表わす音域とを対比して、選択した楽曲の音域を音域情報が表わす音域に移動するためのキー変更情報を求めるものであって、
サーバ側送信部は、楽曲選択部で選択された楽曲の一覧を表わすとともに、さらに、各楽曲でのキー変更量を表わすキー変更量情報を含む楽曲一覧情報を送信するものであるという応用形態も好ましい。
【００６５】
選択された楽曲それぞれのキー変更情報が算出されることによって、ユーザはその選択された楽曲の音域を自分の声の音域に容易に合わせることができる。
【００６６】
以上のようにして決定された選択曲の楽曲名とキー変更量は、楽曲選択部５３０から情報返信部５２０に伝えられる。情報返信部５２０では、音域情報を送信してきた携帯電話機１０に向けて選択曲の一覧が送信される（図５のステップＳ２４）。
【００６７】
サーバ装置２０から送信されてきた選択曲の一覧は、携帯電話機１０の情報受信部４４０で受信され、表示部４５０に伝えられる。表示部４５０では、サーバ装置２０から送信されてきた選択曲の一覧がＬＣＤ１１１上に表示される。
【００６８】
図７は、ＬＣＤ１１１上に表示された選択曲の一覧画面の一例を示す図である。
【００６９】
図７に示すように、ＬＣＤ１１１上には、ユーザ名、ユーザの音域と音域幅、楽曲の選定条件、選択曲の楽曲名とキー変更量、リスト保存ボタン、およびダウンロードボタンが表示されている。ユーザは、この一覧画面を確認することによって、キー変更などによって自分の声の音域に合わせることができる楽曲を容易に選択することができるとともに、その楽曲を歌うときのキー変更量を知ることができる。
【００７０】
ユーザが操作キー１２１を使ってリスト保存ボタンを選択すると、図７に示す選択曲の楽曲名とキー変更量がユーザ名と対応付けられて携帯用ＤＢ４７０に保存される。携帯電話機１０に選択曲の情報が保存されることによって、自分の声に合った楽曲の情報を持ち歩くことができ、カラオケ店などでもすぐに楽曲やキー変更量を選択することができる。
【００７１】
また、ユーザが操作キー１２１を使って楽曲を指定し、さらにダウンロードボタンを選択すると、入力部４２０から情報送信部４３０に指定された楽曲の楽曲名が伝えられる。情報送信部４３０では、サーバ装置２０に向けて指定された楽曲の楽曲名とダウンロード要求が送信される（図５のステップＳ２５）。
【００７２】
サーバ装置２０では、情報受信部５１０において携帯電話機１０から送信されてきた楽曲名とダウンロード要求が受信され、それらが楽曲提供部５５０に伝えられる。
【００７３】
楽曲提供部５５０では、サーバ用ＤＢ３０に保存された複数の楽曲の中から、指定された楽曲名の楽曲が取得され（図５のステップＳ２６，Ｓ２７）、取得された楽曲が携帯電話機１０に向けて送信される（図５のステップＳ２８）。
【００７４】
携帯電話機１０では、サーバ装置２０から送信されてきた楽曲がダウンロード部４６０で受信され、携帯用ＤＢ４７０に保存される。
【００７５】
ここで、上述した楽曲選択システムの基本形態に対し、
上記携帯端末装置が、さらに、
端末側受信部で受信した楽曲一覧情報が表わす楽曲一覧中の楽曲のダウンロードを指示するダウンロード指示部を備え、
端末側送信部が、ダウンロード指示部でダウンロードが指示されたことを受けて、ダウンロードが指示された楽曲を表わす楽曲情報を伴うダウンロード要求情報を送信するものであり、
サーバ側受信部は、前記携帯端末装置から送信されたダウンロード要求情報を受信するものであり、
サーバ側送信部は、サーバ側受信部でのダウンロード要求情報の受信を受けてダウンロード要求情報に応じた楽曲を前記携帯端末装置に向けて送信するものであるという応用形態は好適である。
【００７６】
携帯電話機１０では、ユーザの音域を表わす音域情報を送信すると、サーバ装置２０において音域情報に基づいて楽曲が選択され、図７に示すように、選択された楽曲の楽曲名とキー変更量が表示される。ここで表示される楽曲は、キー変更等によってユーザの声の音域に合わせることが可能であるため、ユーザが歌いやすい楽曲であると考えられ、カラオケの練習用として楽曲のダウンロードを促すことができる。
【００７７】
以上のようにして、ユーザは自分の声の音域幅以下の音域幅を有し、キー変更を行うことによって歌うことができる楽曲を容易に選択し、携帯電話機１０にダウンロードすることができる。
【００７８】
続いて、ユーザの声の音域幅と指定された楽曲の音域幅とを比較して、その楽曲の歌いやすさを評価する音域幅比較機能を利用して、楽曲をダウンロードする例について説明する。
【００７９】
図８は、ユーザの声の音域幅と指定された楽曲の音域幅とを比較して楽曲の歌いやすさを評価する音域幅比較機能を利用して、サーバ用ＤＢ３０に保存されている楽曲をダウンロードするときの情報の流れを示す図である。
【００８０】
ユーザが、予め用意されている楽曲選択画面に従って、ユーザ名と楽曲名を入力すると、入力内容が図３の入力部４２０から情報送信部４３０に伝えられる。
【００８１】
情報送信部４３０では、携帯用ＤＢ４７０から指定されたユーザ名の音域情報が取得され、その音域情報と指定された楽曲名がサーバ装置２０に向けて送信される（図８のステップＳ３１）。
【００８２】
サーバ装置２０では、携帯電話機１０から送信されてきた音域情報および楽曲名が送受信部５１０で受信され、評価判定部５４０に伝えられる。
【００８３】
評価判定部５４０では、サーバ用ＤＢ３０に保存されている楽曲テーブル３１（図６参照）が参照され（図８のステップＳ３２，Ｓ３３）、携帯電話機１０から伝えられた楽曲名と対応する音域と、音域情報が表わす音域に応じた音域とが比較されて、その楽曲の歌いやすさが評価される。本実施形態においては、音域情報が表わす音域に応じた音域幅に対して、指定された楽曲の音域幅が大きい場合には、指定された楽曲は「歌うことは難しい」と評価され、音域情報の音域幅に対して楽曲の音域幅が小さい場合には、指定された楽曲は「余裕を持って歌える」と評価される。さらに、指定された楽曲が「余裕を持って歌える」と評価された場合は、音域情報が表わすユーザの音域に楽曲の音域を合わせるためのキー変更量が算出される。楽曲の音域と評価結果とキー変更量は、評価判定部５４０から情報返信部５２０に伝えられる。情報返信部５２０では、音域情報を送信してきた携帯電話機１０に向けて、楽曲の音域と評価結果とキー変更量が送信される（図５のステップＳ３４）。
【００８４】
携帯電話機１０では、サーバ装置２０から送信されてきた楽曲の音域と評価結果とキー変更量がＬＣＤ１１１上に表示される。
【００８５】
図９は、ＬＣＤ１１１上に表示された評価結果画面の一例を示す図である。
【００８６】
図９に示すように、ＬＣＤ１１１上には、ユーザ名、ユーザの音域と音域幅、指定された楽曲の楽曲名、音域、音域幅、キー変更量、評価結果、リスト保存ボタン、およびダウンロードボタンが表示されている。ユーザは、この判定結果画面を確認することによって、指定した楽曲がキー変更などを行うことによって自分の声の音域に合わせることが可能な楽曲であるか否かを容易に知ることができる。
【００８７】
また、ユーザが操作キー１２１を使ってリスト保存ボタンを選択すると、図９に示す指定された楽曲の楽曲名、音域、音域幅、キー変更量、および判定結果がユーザ名と対応付けられて携帯用ＤＢ４７０に保存される。
【００８８】
さらに、ユーザが操作キー１２１を使ってダウンロードボタンを選択すると、サーバ装置２０に向けて指定された楽曲の楽曲名とダウンロード要求が送信され（図８のステップＳ３５）、サーバ装置２０では、サーバ用ＤＢ３０に保存された複数の楽曲の中から、指定された楽曲名の楽曲が取得され（図８のステップＳ３６，Ｓ３７）、取得された楽曲が携帯電話機１０に向けて送信される（図８のステップＳ３８）。
【００８９】
このように、ユーザが指定した楽曲の音域幅と、ユーザが発声可能な音域に応じた音域幅とが比較され、その楽曲の歌いやすさが評価されることによって、ユーザは楽曲を安心感を持って歌うことができ、高い頻度でカラオケに興じるようになると期待される。それによって、特に新しい楽曲等に関してダウンロードサービスの利用数を増加させることができると期待される。
【００９０】
ここで、上記では、上述した携帯端末装置の一例として携帯電話機が示されているが、この携帯端末装置は、ＰＤＡ（Ｐｅｒｓｏｎａｌ  Ｄｉｇｉｔａｌ  Ａｓｓｉｓｔａｎｔ）や、携帯型のゲーム機などであってもよい。
【００９１】
以下、本発明の各種形態について付記する。
【００９２】
（付記１）
ユーザが発声可能な音域を取得する音域取得部と、
前記音域取得部で取得した音域を表わす音域情報を送信する端末側送信部とを有する携帯端末装置と、
複数の楽曲を保存する楽曲保存部と、
前記携帯端末装置から送信されてきた音域情報を受信するサーバ側受信部と、
前記楽曲保存部に保存された複数の楽曲のうちの、前記サーバ側受信部で受信された音域情報により表わされる音域に応じた音域幅以下の音域幅を有する楽曲を選択する楽曲選択部と、
前記楽曲選択部で選択された楽曲の一覧を表わす楽曲一覧情報を、前記携帯端末装置に向けて送信するサーバ側送信部とを有するサーバ装置とを備え、
前記携帯端末装置が、さらに、
前記サーバ装置から送信されてきた楽曲一覧情報を受信する端末側受信部と、
前記端末側受信部で受信した楽曲一覧情報が表わす楽曲一覧を表示する楽曲一覧表示部とを有することを特徴とする楽曲選択システム。
【００９３】
（付記２）
前記携帯端末装置は、さらに、
楽曲を選定するための条件である楽曲選定条件の指定を受ける楽曲選定条件指定部を備え、
前記端末側送信部は、前記音域情報取得部で取得した音域を表わす音域情報を送信するとともに、前記楽曲選定条件指定部で指定を受けた楽曲選定条件を表わす楽曲選定情報を送信するものであり、
前記サーバ側受信部は、前記携帯端末装置から送信されてきた音域情報を受信するとともに、さらに、該携帯端末装置から送信されてきた楽曲選定情報を受信するものであり、
前記楽曲選択部は、前記楽曲保存部に保存された複数の楽曲のうちの前記サーバ側受信部で受信された音域情報により表わされる音域に応じた音域幅以下の音域幅を有し、かつ前記サーバ側受信部で受信された楽曲選定条件情報により表わされる楽曲選定条件に合致した楽曲を選択するものであることを特徴とする付記１記載の楽曲選択システム。
【００９４】
（付記３）
前記携帯端末装置が、さらに、
前記端末側受信部で受信した楽曲一覧情報が表わす楽曲一覧中の楽曲のダウンロードを指示するダウンロード指示部を備え、
前記端末側送信部が、前記ダウンロード指示部でダウンロードが指示されたことを受けて、ダウンロードが指示された楽曲を表わす楽曲情報を伴うダウンロード要求情報を送信するものであり、
前記サーバ側受信部は、前記携帯端末装置から送信されたダウンロード要求情報を受信するものであり、
前記サーバ側送信部は、前記サーバ側受信部でのダウンロード要求情報の受信を受けて該ダウンロード要求情報に応じた楽曲を前記携帯端末装置に向けて送信するものであることを特徴とする付記１または２記載の楽曲選択システム。
【００９５】
（付記４）
前記楽曲選択部が、楽曲を選択するとともに、選択した楽曲の音域と前記サーバ側受信部で受信した音域情報が表わす音域とを対比して、選択した楽曲の音域を該音域情報が表わす音域に移動するためのキー変更情報を求めるものであって、
前記サーバ側送信部は、前記楽曲選択部で選択された楽曲の一覧を表わすとともに、さらに、各楽曲でのキー変更量を表わすキー変更量情報を含む楽曲一覧情報を送信するものであることを特徴とする付記１記載の楽曲選択システム。
【００９６】
（付記５）
ユーザが発声可能な音域を取得する音域取得部と、
楽曲の指定を受け付ける楽曲受付部と、
前記音域取得部で取得した音域を表わす音域情報と前記楽曲受付部で受け付けた楽曲を表わす楽曲情報を送信する端末側送信部とを有する携帯端末装置、および
複数の楽曲を保存する楽曲保存部と、
前記携帯端末装置から送信されてきた音域情報と楽曲情報を受信するサーバ側受信部と、
前記サーバ側受信部で受信した音域情報により表わされる音域幅と該サーバ側受信部で受信した楽曲情報により表わされる楽曲の音域幅とを比較する音域幅比較部と、
前記音域幅比較部における音域幅比較結果を表わす音域幅比較情報を前記携帯端末装置に向けて送信するサーバ側送信部とを有するサーバ装置を備え、
前記携帯端末装置が、さらに、
前記サーバ装置から送信されてきた音域幅比較情報を受信する端末側受信部と、
前記端末側受信部で受信した音域幅比較情報により表わされる音域幅比較結果を表示する音域幅比較結果表示部とを有することを特徴とする楽曲選択システム。
【００９７】
（付記６）
前記携帯端末装置が、さらに、前記楽曲受付部で受付られ、さらに前記音域幅比較結果表示部に音域幅比較結果が表示された楽曲のダウンロードを指示するユーザ操作を受け付けるダウンロード指示部を備え、
前記端末側送信部が、前記ダウンロード指示部でダウンロードが指示されたことを受けて前記楽曲受付部で受け付けた楽曲のダウンロードを要求するダウンロード要求情報を送信するものであり、
前記サーバ側受信部は、前記携帯端末装置から送信されてきたダウンロード要求情報を受信するものであり、
前記サーバ側送信部は、前記サーバ側受信部でのダウンロード要求情報の受信を受けて該ダウンロード要求情報に応じた楽曲を前記携帯端末装置に向けて送信するものであることを特徴とする付記５記載の楽曲選択システム。
【００９８】
（付記７）
前記音域取得部は、ユーザが発声可能な音域を複数のユーザについて取得し、取得した音域を表わす音域情報をユーザに対応付けて保存しておくものであり、
前記端末側送信部は、音域情報の送信にあたり、ユーザを特定するユーザ操作を受けて特定されたユーザの音域情報を送信するものであることを特徴とする付記１から６のうちのいずれか１項記載の楽曲選択システム。
【００９９】
（付記８）
携帯端末装置から送信されてきた、ユーザが発声可能な音域を表わす音域情報を受信するサーバ側受信部と、
前記楽曲保存部に保存された複数の楽曲のうちの、前記サーバ側受信部で受信された音域情報により表わされる音域に応じた音域幅以下の音域幅を有する楽曲を選択する楽曲選択部と、
前記楽曲選択部で選択された楽曲の一覧を表わす楽曲一覧情報を、前記携帯端末装置に向けて送信するサーバ側送信部とを有することを特徴とするサーバ装置。
【０１００】
（付記９）
前記サーバ側受信部は、前記携帯端末装置から送信されてきた音域情報を受信するとともに、さらに、該携帯端末装置から送信されてきた楽曲選定情報を受信するものであり、
前記楽曲選択部は、前記楽曲保存部に保存された複数の楽曲のうちの前記サーバ側受信部で受信された音域情報により表わされる音域に応じた音域幅以下の音域幅を有し、かつ前記サーバ側受信部で受信された楽曲選定条件情報により表わされる楽曲選定条件に合致した楽曲を選択するものであることを特徴とする付記８記載のサーバ装置。
【０１０１】
（付記１０）
前記サーバ側受信部は、前記楽曲一覧情報が表わす楽曲一覧中の楽曲のダウンロードを要求するダウンロード要求情報を受信するものであり、
前記サーバ側送信部は、前記サーバ側受信部でのダウンロード要求情報の受信を受けて該ダウンロード要求情報に応じた楽曲を前記携帯端末装置に向けて送信するものであることを特徴とする付記８または９記載のサーバ装置。
【０１０２】
（付記１１）
前記楽曲選択部が、楽曲を選択するとともに、選択した楽曲の音域と前記サーバ側受信部で受信した音域情報が表わす音域とを対比して、選択した楽曲の音域を該音域情報が表わす音域に移動するためのキー変更情報を求めるものであって、
前記サーバ側送信部は、前記楽曲選択部で選択された楽曲の一覧を表わすとともに、さらに、各楽曲でのキー変更量を表わすキー変更量情報を含む楽曲一覧情報を送信するものであることを特徴とする付記８記載のサーバ装置。
【０１０３】
（付記１２）
複数の楽曲を保存する楽曲保存部と、
携帯端末装置から送信されてきた音域情報と楽曲情報を受信するサーバ側受信部と、
前記サーバ側受信部で受信した音域情報により表わされる音域幅と該サーバ側受信部で受信した楽曲情報により表わされる楽曲の音域幅とを比較する音域幅比較部と、
前記音域幅比較部における音域幅比較結果を表わす音域幅比較情報を前記携帯端末装置に向けて送信するサーバ側送信部とを有することを特徴とするサーバ装置。
【０１０４】
（付記１３）
前記携帯端末装置が、さらに、前記楽曲受付部で受付られ、さらに前記音域幅比較結果表示部に音域幅比較結果が表示された楽曲のダウンロードを指示するユーザ操作を受け付けるダウンロード指示部を備え、
前記端末側送信部が、前記ダウンロード指示部でダウンロードが指示されたことを受けて前記楽曲受付部で受け付けた楽曲のダウンロードを要求するダウンロード要求情報を送信するものであり、
前記サーバ側受信部は、前記携帯端末装置から送信されてきた楽曲情報により表わされる楽曲のダウンロードを要求するダウンロード要求情報を受信するものであり、
前記サーバ側送信部は、前記サーバ側受信部でのダウンロード要求情報の受信を受けて該ダウンロード要求情報に応じた楽曲を前記携帯端末装置に向けて送信するものであることを特徴とする付記１２記載のサーバ装置。
【０１０５】
（付記１４）
ユーザが発声可能な音域を取得する音域取得部と、
前記音域取得部で取得した音域を表わす音域情報を楽曲の配信を担うサーバ装置に向けて送信する端末側送信部と、
前記サーバ装置から送信されてきた、前記音域情報により表わされる音域に応じた音域幅以下の音域幅を有する楽曲の一覧を表わす楽曲一覧情報を受信する端末側受信部と、
前記端末側受信部で受信した楽曲一覧情報が表わす楽曲一覧を表示する楽曲一覧表示部とを有することを特徴とする携帯端末装置。
【０１０６】
（付記１５）
楽曲を選定するための条件である楽曲選定条件の指定を受ける楽曲選定条件指定部を備え、
前記端末側送信部は、前記音域情報取得部で取得した音域を表わす音域情報を送信するとともに、前記楽曲選定条件指定部で指定を受けた楽曲選定条件を表わす楽曲選定情報を送信するものであり、
前記端末側受信部は、前記音域情報により表わされる音域に応じた音域幅以下の音域幅を有し、かつ前記楽曲選定条件情報により表わされる楽曲選定条件に合致した楽曲の一覧を表わす楽曲一覧情報を受信するものであることを特徴とする付記１４記載の携帯端末装置。
【０１０７】
（付記１６）
前記端末側受信部で受信した楽曲一覧情報が表わす楽曲一覧中の楽曲のダウンロードを指示するダウンロード指示部を備え、
前記端末側送信部が、前記ダウンロード指示部でダウンロードが指示されたことを受けて、ダウンロードが指示された楽曲を表わす楽曲情報を伴うダウンロード要求情報を送信するものであり、
前記端末側受信部は、前記端末側送信部からのダウンロード要求情報に応じた楽曲を受信するものであることを特徴とする付記１４または１５記載の携帯端末装置。
【０１０８】
（付記１７）
ユーザが発声可能な音域を取得する音域取得部と、
楽曲の指定を受け付ける楽曲受付部と、
前記音域取得部で取得した音域を表わす音域情報と前記楽曲受付部で受け付けた楽曲を表わす楽曲情報を、楽曲の配信を担うサーバ装置に向けて送信する端末側送信部と、
前記サーバ装置から送信されてきた、前記音域情報により表わされる音域幅と前記楽曲情報により表わされる楽曲の音域幅との音域幅比較結果を表わす音域幅比較情報を受信する端末側受信部と、
前記端末側受信部で受信した音域幅比較情報により表わされる音域幅比較結果を表示する音域幅比較結果表示部とを有することを特徴とする携帯端末装置。
【０１０９】
（付記１８）
前記楽曲受付部で受付られ、さらに前記音域幅比較結果表示部に音域幅比較結果が表示された楽曲のダウンロードを指示するユーザ操作を受け付けるダウンロード指示部を備え、
前記端末側送信部が、前記ダウンロード指示部でダウンロードが指示されたことを受けて前記楽曲受付部で受け付けた楽曲のダウンロードを要求するダウンロード要求情報を送信するものであり、
前記端末側受信部が、前記サーバ装置からダウンロードされてきた、前記ダウンロード要求情報に応じた楽曲を受信するものであることを特徴とする付記１７記載の携帯端末装置。
【０１１０】
（付記１９）
前記音域取得部は、ユーザが発声可能な音域を複数のユーザについて取得し、取得した音域を表わす音域情報をユーザに対応付けて保存しておくものであり、
前記端末側送信部は、音域情報の送信にあたり、ユーザを特定するユーザ操作を受けて特定されたユーザの音域情報を送信するものであることを特徴とする付記１４から１８のうちのいずれか１項記載の携帯端末装置。
【図面の簡単な説明】
【０１１１】
【図１】楽曲選択システムの一実施形態である楽曲ダウンロードシステムの概略的な構成図である。
【図２】携帯電話機のハードウェア構成図である。
【図３】楽曲ダウンロードシステムの機能ブロック図である。
【図４】ＬＣＤに表示される音域取得画面の一例を示す図である。
【図５】楽曲選択機能を利用して、サーバ用ＤＢに保存されている楽曲をダウンロードするときの情報の流れを示す図である。
【図６】サーバ用ＤＢに保存された楽曲テーブルの一例を示す概念図である。
【図７】ＬＣＤ上に表示された選択曲の一覧画面の一例を示す図である。
【図８】音域幅比較機能を利用して、サーバ用ＤＢに保存されている楽曲をダウンロードするときの情報の流れを示す図である。
【図９】ＬＣＤ上に表示された評価結果画面の一例を示す図である。
【符号の説明】
【０１１２】
１０      携帯電話機
１１    上部筐体
１２    下部筐体
２０    サーバ装置
３０    サーバ用ＤＢ
１１１    ＬＣＤ
１１２    送話口
１２１    操作キー
１２２    受話口
１２３    放音口
１２４    装填口
１００    バス
１０１    ＣＰＵ
１０２    ＲＡＭ
１０３    マイクデバイス
１０４    スピーカデバイス
１０５    カメラデバイス
１０６    近距離無線デバイス
１０７    メディアコントローラ
１０８    ＲＯＭ
１０９    不揮発メモリ
１１０    ディスプレイデバイス
１１３    キーデバイス
１１４    時計
１１５    遠距離通信デバイス
１１６    アンテナ
４１０    音域取得部
４２０    入力部
４３０    情報送信部
４４０    情報受信部
４５０    表示部
４６０    ダウンロード部
４７０    携帯用ＤＢ
５１０    情報受信部
５２０    情報返信部
５３０    楽曲選択部
５４０    評価判定部
５５０    楽曲提供部
【図１】
2010032788.tif 000003
【図２】
2010032788.tif 000004
【図３】
2010032788.tif 000005
【図４】
2010032788.tif 000006
【図５】
2010032788.tif 000007
【図６】
2010032788.tif 000008
【図７】
2010032788.tif 000009
【図８】
2010032788.tif 000010
【図９】
2010032788.tif 000011